【手続補正書】
【提出日】平成18年1月6日(2006.1.6)
【手続補正１】
【補正対象書類名】明細書
【補正対象項目名】発明の名称
【補正方法】変更
【補正の内容】
【発明の名称】画像処理、読取、形成装置およびカラー画像形成装置
【手続補正２】
【補正対象書類名】明細書
【補正対象項目名】特許請求の範囲
【補正方法】変更
【補正の内容】
【特許請求の範囲】
【請求項１】  複数ラインを使用してカラー画素判定する画像処理装置において、
拡大時の特定倍率以上において、入力データを実質１ラインおきに入力する手段を備えることを特徴とする画像処理装置。
【請求項２】  複数ラインを使用してカラー画素判定し、拡大時の特定倍率以上において、入力データを実質１ラインおきに入力する手段を有する画像処理装置に画像データを送信する画像読取装置において、
原稿画像を色分解して読み取って画像データを生成し、前記画像処理装置に送信するカラー読取装置を備えることを特徴とする画像読取装置。
【請求項３】  複数ラインを使用してカラー画素判定し、拡大時の特定倍率以上において、入力データを実質１ラインおきに入力する手段を有する画像処理装置から画像データを受信する画像形成装置において、
前記画像データに対する出力画像データを用紙上にプリントアウトするカラー画像記録装置を備えることを特徴とする画像形成装置。
【請求項４】  複数ラインを使用してカラー画素判定し、拡大時の特定倍率以上において、入力データを実質１ラインおきに入力する手段を有するカラー画像形成装置において、
原稿画像を色分解して読み取って画像データを生成し、画像処理装置に送信するカラー読取装置を備え、
前記画像データに対する出力画像データを用紙上にプリントアウトするカラー画像記録装置を備えることを特徴とするカラー画像形成装置。
【請求項５】  外部端末からのプリント指示コマンドを解析して、前記カラー画像記録装置にて前記外部端末からの画像情報をプリントアウトするプリンタコントローラを更に備えることを特徴とする請求項４に記載のカラー画像形成装置。
【手続補正３】
【補正対象書類名】明細書
【補正対象項目名】０００１
【補正方法】変更
【補正の内容】
【０００１】
【発明の属する技術分野】
本発明は画像処理、読取、形成装置およびカラー画像形成装置に関するものであり、詳細には画像データがカラーか白黒かを判定して、適切な画像処理をする画像処理、読取、形成装置およびカラー画像形成装置に関するものである。
【手続補正４】
【補正対象書類名】明細書
【補正対象項目名】０００８
【補正方法】変更
【補正の内容】
【０００８】
本発明では、色判定性能を維持し、カラー判定基準を変えることなく適当な間引き処理を行う画像処理、読取、形成装置およびそのカラー画像形成装置を提供することを目的とする。
【手続補正５】
【補正対象書類名】明細書
【補正対象項目名】０００９
【補正方法】変更
【補正の内容】
【０００９】
具体的には、複数ラインを使用してカラー画素判定する装置において、拡大時の特定倍率以上において、入力データを実質１ライン置きに入力する手段をそなえることにより、拡大時に、有彩判定性能を落とすことなく、カラー画素判定を行うことを目的とする。
【手続補正６】
【補正対象書類名】明細書
【補正対象項目名】００１０
【補正方法】変更
【補正の内容】
【００１０】
また、前記手段を適用できる画像読取手段としてのカラー読取装置を提供することを目的とする。
【手続補正７】
【補正対象書類名】明細書
【補正対象項目名】００１１
【補正方法】変更
【補正の内容】
【００１１】
また、前記手段を適用できる画像形成手段としてのカラー画像記録装置を提供することを目的とする。
【手続補正８】
【補正対象書類名】明細書
【補正対象項目名】００１２
【補正方法】変更
【補正の内容】
【００１２】
また、前記手段を適用できるカラー画像形成装置を提供することを目的とする。
【手続補正９】
【補正対象書類名】明細書
【補正対象項目名】００１３
【補正方法】変更
【補正の内容】
【００１３】
また、パソコンなど外部からの画像及びプリント指示するコマンドを解析し、画像データとして、印刷できる状態にビットマップ展開し、カラー画像記録装置を駆動して画像データをプリントアウトするプリンタコントローラが前記手段に対応可能になることを目的とする。
【手続補正１０】
【補正対象書類名】明細書
【補正対象項目名】００１５
【補正方法】変更
【補正の内容】
【００１５】
請求項２に記載の発明は、複数ラインを使用してカラー画素判定し、拡大時の特定倍率以上において、入力データを実質１ラインおきに入力する手段を有する画像処理装置に画像データを送信する画像読取装置において、原稿画像を色分解して読み取って画像データを生成し、画像処理装置に送信するカラー読取装置を備えることを特徴とする。
【手続補正１１】
【補正対象書類名】明細書
【補正対象項目名】００１６
【補正方法】変更
【補正の内容】
【００１６】
請求項３に記載の発明は、複数ラインを使用してカラー画素判定し、拡大時の特定倍率以上において、入力データを実質１ラインおきに入力する手段を有する画像処理装置から画像データを受信する画像形成装置において、画像データに対する出力画像データを用紙上にプリントアウトするカラー画像記録装置を備えることを特徴とする。
【手続補正１２】
【補正対象書類名】明細書
【補正対象項目名】００１７
【補正方法】変更
【補正の内容】
【００１７】
請求項４に記載の発明は、複数ラインを使用してカラー画素判定し、拡大時の特定倍率以上において、入力データを実質１ラインおきに入力する手段を有するカラー画像形成装置において、原稿画像を色分解して読み取って画像データを生成し、前記画像処理装置に送信するカラー読取装置を備え、画像データに対する出力画像データを用紙上にプリントアウトするカラー画像記録装置を備えることを特徴とする。
【手続補正１３】
【補正対象書類名】明細書
【補正対象項目名】００１８
【補正方法】変更
【補正の内容】
【００１８】
請求項５に記載の発明は、請求項４に記載の発明において、外部端末からのプリント指示コマンドを解析して、カラー画像記録装置にて外部端末からの画像情報をプリントアウトするプリンタコントローラを更に備えることを特徴とする。
【手続補正１４】
【補正対象書類名】明細書
【補正対象項目名】０２０５
【補正方法】変更
【補正の内容】
【０２０５】
即ち、複数ラインを使用してカラー画素判定する装置において、拡大時の特定倍率において、入力データを実質１ライン置きに入力する手段をそなえることにより、拡大時に、有彩判定性能を落とすことなく、カラー画素判定を行うことが可能になる。さらに、入力データのみを切り換えるので、切り換え前後で、カラー原稿判定基準が変わることはない。
【手続補正１５】
【補正対象書類名】明細書
【補正対象項目名】０２０６
【補正方法】変更
【補正の内容】
【０２０６】
また、前記手段を適用できる画像読取手段としてのカラー読取装置を提供することが可能になる。
【手続補正１６】
【補正対象書類名】明細書
【補正対象項目名】０２０７
【補正方法】変更
【補正の内容】
【０２０７】
また、前記手段を適用できる画像形成手段としてのカラー画像記録装置を提供することが可能になる。
【手続補正１７】
【補正対象書類名】明細書
【補正対象項目名】０２０８
【補正方法】変更
【補正の内容】
【０２０８】
また、前記手段を適用できるカラー画像形成装置を提供することが可能になる。